(57)【要約】【課題】ハンディカメラ等のテレビカメラによる撮影の障害とならずに、記録内容を確認したり、記録部の遠隔操作が可能なテレビカメラ用制御装置を提供する。【解決手段】記録媒体に撮像信号を記憶する手段を具えたテレビカメラ本体１０から送られてくる無線信号を受信したり、テレビカメラ本体１０に対して制御信号を発信する第２無線Ｉ／Ｆ部２３と、第２無線Ｉ／Ｆ部２３からの受信信号を復調するとともに、制御項目の選択による前記制御信号を作成し、前記無線送信受信手段へ該制御信号を送る操作部２２と、操作部２２により復調して得られる映像信号及び情報信号と前記テレカメラの記録部に係る制御項目とを表示する表示部２１とを具えるテレビカメラ用制御装置である。【選択図】図１
2010278735.tif 000002
【特許請求の範囲】
【請求項１】
記録媒体に撮像信号を記憶する手段を具えたテレビカメラから送られてくる無線信号を受信したり、前記テレビカメラへと制御信号を発信する無線送信受信手段と、
該無線送信受信手段からの受信信号を復調するとともに、前記制御項目の選択による前記制御信号を作成し、前記無線送信受信手段へ該制御信号を送る操作手段と、
該無線送信受信手段からの受信信号を復調して得られる映像信号及び情報信号と、前記テレカメラの記録部の制御項目を表示する表示手段と、
を具えることを特徴とするテレビカメラ用制御装置。
【請求項２】
請求項１に記載のテレビカメラ用制御装置であって、
前記無線送信受信手段はＢｌｕｅｔｏｏｔｈ（登録商標）によることを特徴とするテレビカメラ用制御装置。
【請求項３】
請求項１に記載のテレビカメラ用制御装置であって、
前記表示手段は現在撮像中の画像を所定色の枠で囲って表示することを特徴とするテレビカメラ用制御装置。
【発明の詳細な説明】
【技術分野】
【０００１】
本発明は、記録媒体に映像信号を記録するテレビカメラの遠隔制御に用いられるテレビカメラ用制御装置に関し、詳しくは、テレビカメラの制御部及び記録部を無線によるインターフェースを用いて遠隔制御することができるテレビカメラ用制御装置に係るものである。
【背景技術】
【０００２】
放送局では、ニュース取材を目的として、撮像した映像信号を記録する記録部を有するハンディカメラが使用されている。ハンディカメラには記録媒体が装着され、この記録媒体としてはビデオテープ、ディスク、或いはフラッシュメモリ等のＩＣメモリが使用されている。その他のテレビカメラとしては、スタジオや野球場での生放送に使用するライブカメラがある。ライブカメラはベース・ステイションと呼ばれるカメラコントロールユニットが使用される。そのカメラコントロールユニットにはオペレーションユニットが使用される。そのカメラコントロールユニットにはオペレーション・コントロール・パネルが接続され、カメラコントロールユニットとケーブルで接続されたライブカメラをその操作パネルにより遠隔操作することができる。
【０００３】
従来の操作パネルには、図３に示す本出願人によるものがある。図３の操作パネル１は、カメラコントロールユニットを経てケーブルによりテレビカメラと接続され、カメラ自体及びその映像信号の各制御項目を操作することができる。操作パネル１には多数のスイッチが設けられ、概ね上部にはタッチパネル付き液晶ディスプレイ（以下、タッチパネル付きＬＣＤと称する）２が設けられ、タッチパネル付きＬＣＤ２の下には表示器付きスイッチ３〜５が設けられ、表示器付きスイッチ５の上部にはＮＥＸＴスイッチ６が設けられる。また、操作パネル２の最下段部には異常を報知する表示付きのＡＬＡＲＭ表示スイッチ７が設けられている。
【０００４】
表示器付きスイッチ３〜５は、表示部Ｄ１，Ｄ２と矢印で上下方向を示すアップ・ダウンスイッチＳ１，Ｓ２とを一組として構成される。同図には、表示器付きスイッチ２４〜２６の表示部Ｄ１，Ｄ２に、ゲイン（ＧＡＩＮ），−３ｄＢ、ＮＤフィルタ（ＮＤ），１／１６、シャッタ（ＳＨＵＴ），１０００と図示される。表示部Ｄ１に制御項目（ＧＡＩＮ、ＮＤ、ＳＨＵＴ）が表示され、表示部Ｄ２にはカメラヘッド部からの制御結果（−３ｄＢ、１／１６、１０００）が表示される（例えば、特許文献１参照）。
【先行技術文献】
【特許文献】
【０００５】
【特許文献１】特開２００６−１７４２１０号公報
【発明の概要】
【発明が解決しようとする課題】
【０００６】
ハンディカメラでは、ライブカメラのようにスタジオ内で使用したり、ニュースを取材するため、野外でカメラに記録媒体を装着して撮像することがある。ハンディカメラを操作するカメラマンは、フォーカス等の多くの撮影に関する操作釦の操作に忙しく、映像信号を記録するための記録媒体の装着或いは交換を忘れるなどのおそれがあり、最悪の場合、取材映像の記録を逸する場合があった。また、ビューファインダでは撮像した映像信号を見るだけで、映像信号がカメラ本体に装着された記録媒体に正常に記録されているか否かを把握することは困難であった。
【０００７】
さらに、取材に際し、ハンディカメラを使用して遠隔操作により映像信号を送るにしてもライブカメラのように副調整室とケーブルで接続し、映像信号を伝送する必要があった。ケーブルがハンディカメラに接続されるのでは、ハンディカメラの動き易いといった利便性が損なわれ、撮影に支障を来す場合があった。
【０００８】
本発明は、上記課題に鑑みてなされたものであって、ハンディカメラ等のテレビカメラによる撮影の障害とならずに、記録内容を確認したり、記録部の遠隔操作が可能なテレビカメラ用制御装置を提供することを目的とする。
【課題を解決するための手段】
【０００９】
本発明は、上記課題を達成したものであり、請求項１の発明は、記録媒体に撮像信号を記憶する手段を具えたテレビカメラから送られてくる無線信号を受信したり、前記テレビカメラへと制御信号を発信する無線送信受信手段と、
該無線送信受信手段からの受信信号を復調するとともに、前記制御項目の選択による前記制御信号を作成し、前記無線送信受信手段へ該制御信号を送る操作手段と、
該操作手段により復調して得られる映像信号及び情報信号と前記テレカメラの記録部の制御項目とを表示する表示手段と、を具えることを特徴とするテレビカメラ用制御装置である。
【００１０】
また、請求項２の発明は、請求項１に記載のテレビカメラ用制御装置であって、
前記無線送信受信手段はＢｌｕｅｔｏｏｔｈ（登録商標）によることを特徴とするテレビカメラ用制御装置である。
【００１１】
また、請求項３の発明は、請求項１に記載のテレビカメラ用制御装置であって、
前記表示手段は現在撮像中の画像を所定色の枠で囲って表示することを特徴とするテレビカメラ用制御装置である。
【発明の効果】
【００１２】
請求項１の発明によれば、テレビカメラ用制御装置の表示部にテレビカメラの記録部に関する制御項目を表示し、その表示に従って操作することによって、テレビカメラの制御部を制御することが可能であり、テレビカメラにおける制御と同等な制御が、テレビカメラの制御部との無線通信により可能となる利点がある。
【００１３】
また、ハンディカメラにケーブルを接続してハンディカメラの制御項目等を遠隔制御する必要がなく、無線通信による遠隔操作であるので、カメラマンの撮影動作の障害を解消できる効果を有し、ハンディカメラの利便性を充分に発揮することができる。
【００１４】
また、収録中にクリップ（収録映像）内容や登録位置の確認ができるので、現場に持って行った素材確認用のモニタが不要となり、システム全体がスリムになるとともに、ハンディカメラとしての利便性を損なうことがない利点がある。
【００１５】
請求項２の発明によれば、インターフェースを無線方式であるＢｌｕｅｔｏｏｔｈ（登録商標）とすることにより、コンパクトに製品をまとめることができる利点があり、しかもＢｌｕｅｔｏｏｔｈ（登録商標）は規格商品なので安価に構成することが可能である。
【００１６】
請求項３の発明によれば、現在撮像中の画像に対して色枠を設けたことにより、撮像画像を他のクリップやサムネイル等の画像と区別することができ、視認し易くなる利点がある。
【図面の簡単な説明】
【００１７】
【図１】本発明に係るテレビカメラ用制御装置の一実施例を示すブロック図である。
【図２】本実施例の表示部における表示画面の一表示例を示す説明図である。
【図３】従来の操作パネルを示す正面図である。
【発明を実施するための形態】
【００１８】
以下、本発明に係るテレビカメラ用制御装置の一実施例について説明する。図１において、１０はテレビカメラのテレビカメラ本体であり、２０は本発明の一実施例を示すテレビカメラ用制御装置である。テレビカメラ本体１０の機能ブロック図では、本発明に関連する部分のみを示している。先ず、テレビカメラ本体１０の各部について説明すると、１１は撮像部、１２は記録部、１３はカメラ表示部、１４は制御部、１５は操作パネル、１６は第１無線Ｉ／Ｆ部、１７は送受信端子である。
【００１９】
続いて、各部の動作について説明する。撮像部１１はレンズ（図示なし）を通して入射した光信号を光電変換して映像信号として出力する。記録部１２は撮像部１１の映像出力を記録媒体に記録する。記録媒体としてはフラッシュメモリを用いられる。カメラ表示部１３は記録部１２で記録中の映像信号、マイクロフォンがある場合にはマイクロフォンの入力レベルなどを表示する。または、テレビカメラに関するステイタス、例えば電池の残量などを表示する。制御部１４はテレビカメラ内部の全ての構成要件に対して制御する。操作パネル１５は撮像や記録に関するスイッチが配列され、カメラマンが操作するためのパネルである。無線Ｉ／Ｆ部１６はテレビカメラ用制御装置２０側とワイヤレス通信を行うインターフェース部である。
【００２０】
無線Ｉ／Ｆ部１６は、２．４ＧＨｚから２．４５ＧＨｚ帯の電波を利用し無線通信を行う送受信機器であり、例えば、Ｂｌｕｅｔｏｏｔｈ（登録商標）の規格に則った通信機器が用いられる。なお、以下、上記帯域の電波を利用して送受信を行う通信機器をＢｌｕｅｔｏｏｔｈと称するものとし、ブルートゥースデバイス、ブルートゥースモジュール、又はブルートゥースＵＳＢアダプタ等が含まれる。テレビカメラ本体１０の無線Ｉ／Ｆ部１６は、送受信端子１７を通してテレビカメラ用制御装置２０からの上記帯域の電波による信号の送受信を行っている。なお、Ｂｌｕｅｔｏｏｔｈ（登録商標）は、無線Ｉ／Ｆ部１６と送受信端子１７とを含む。
【００２１】
テレビカメラ用制御装置２０は、表示部２１、操作部２２、第２無線Ｉ／Ｆ２３、及び送受信端子２４からなる。表示部２１はテレビカメラ側から送られてくる画像やクリップ（撮像画像）のサムネイル（代表画像）を割り付けて表示する。また、操作部２２の操作に対する制御項目も表示する。さらに、その他の表示としては、クリップ、取材情報になるメタ情報及びカメラステイタスなどを表示する。図２はその表示例の一例を示しており、その詳細は後述する。
【００２２】
操作部２２は、表示部２１で表示した制御項目に対して、その選択された制御項目に応じた制御信号をテレビカメラ側に送信するように第２無線Ｉ／Ｆ２３に出力する。表示部２１の制御項目の選択はパソコンで使用するマウスでもよいし、表示部２１をタッチパネルで構成してもよい。また、無線Ｉ／Ｆ２３はテレビカメラ側と送受信するインターフェース回路であり、第２無線Ｉ／Ｆ２３はＢｌｕｅｔｏｏｔｈ（登録商標）の規格に則った通信機器であって、テレビカメラ側の無線Ｉ／Ｆ部１６と同様なものである。送受信端子２４は、無線信号を送受信する端子である。
【００２３】
表示部２１の表示例について図２の画面表示部３０を参照し説明する。画面表示部３０には表示・操作部３１〜３５が設けられ、表示・操作部３１は、テレビカメラを制御する画面表示部３０の右側の「ＣＬＩＰ  ＩＮＦＯ」「ＣＬＩＰ  ＭＥＴＡ」「ＣＬＩＰ  ＭＥＭＯ」はクリップに関する情報である。ＩＮＦＯはクリップ（撮像画像）のＭＰＥＧ−２−５０等のフォーマット、走査データ、音声データ、アスペクト比、タイトル及びクリップ番号が表示される。ＭＥＴＡにはそのクリップ（撮像画像）の取材のタイトル、プログラム・タイトル、ディレクト、撮像者、ライタ及びシーン名が表示される。ＭＥＭＯには撮像時のカメラのＩＤコードやＲＥＣ（コーデックのバージョン番号等）、ＧＡＩＮ（利得）、絞りなどに関するデータが表示される。
【００２４】
また、表示・操作部３１の「ＭＥＴＡ  ＥＤＩＴ」「ＭＥＭＯ  ＥＤＩＴ」「ＣＡＭＥＲＡ  ＭＥＴＡ」は、上記「ＣＬＩＰ  ＭＥＴＡ」「ＣＬＩＰ  ＭＥＭＯ」のなどの編集用キー３１ａ，３１ｂ，３１ｃである。「ＭＥＴＡ  ＥＤＩＴ」又は「ＭＥＭＯ  ＥＤＩＴ」の編集用キー３１ａ，３１ｂ，３１ｃをタッチパネル或いはマウスにより操作することによって、「ＣＬＩＰ  ＭＥＴＡ」又は「ＣＬＩＰ  ＭＥＭＯ」の編集が可能になる。「ＣＡＭＥＲＡ  ＭＥＴＡ」はカメラに取り込まれているＭＥＴＡ情報（取材情報）を再度取り込み、書き戻して再登録するときに使用するキーである。
【００２５】
また、表示・操作部３１の下の表示部３２の「ＲＥＡＤＹ」は、カメラステイタスを表し、「ＳＥＴＴＩＮＧ」は無線の状態を表すもので、通信中であるか否かを表示することができる。
【００２６】
また、表示・操作部３３の表示・操作部３３ａには、「ＭＡＲＫ  ＢＲＯＷＳＥ」、「ＳＥＬＥＣＴ  ＢＩＮ」、「ＳＯＲＴ」、「ＣＨＥＣＫ  ＭＡＲＫ」、「ＤＥＬＥＴＥ」及び「ＭＯＶＥ」があり、「ＭＡＲＫ  ＢＲＯＷＳＥ」はテレビカメラのマーク検索機能（マークブラウズ機能）を利用してショットマーク情報を表示するキーであり、「ＳＥＬＥＣＴ  ＢＩＮ」はＢＩＮファイルを選択するキーであり、「ＳＯＲＴ」は並び換えるキーでタイムコードの順に表示するキーであり、「ＣＨＥＣＫ  ＭＡＲＫ」はＮＧクリップ等の選別を収録直後に行うためのキーであり、「ＤＥＬＥＴＥ」はクリップの削除を行うキーであり、「ＭＯＶＥ」はクリップのＢＩＮ間での移動を行うためのキーである。
【００２７】
また、表示・操作部３３内には、９個の撮像画像を表示する表示領域３３ｂがあり、一番左の上から２番目が現在撮像中の画像である。各撮像画像は所定の色枠を付けて表示される。撮像中の画像以外はクリップのサムネイルを表示している。
【００２８】
また、表示・操作部３４の「＜＜Ｍ．Ｐ」、「↑」、「Ｍ．Ｐ＞＞」、「←」、「↓」、及び「→」は、表示した画像を選択するときに使用するキーである。その左側の表示・操作部３５は、矢印が記録開始、停止、再生開始、ＰＡＵＳＥ、早送り、巻き戻し動作を行うキーである。
【００２９】
表示部２１には、画面表示部に表示された表示・操作部３１〜３４のキーを、タッチパネルやマウスによって操作することにり、選択された制御項目が制御信号として操作部２２に入力される。また、テレビカメラ側の制御項目やテレビカメラ用制御装置２０で設定した制御項目が表示される。
【００３０】
また、図２のクリップの表示はテレビカメラが収録中でも表示できる。テレビカメラが収録中であるとき撮像画像を常に収録しているのではなく、所定フレーム数まとめて収録するので、その収録時以外は別に収録した撮像を読み出すことができる。また、収録中の画像も表示部２１へ伝送すれば表示可能である。
【００３１】
また、上記実施例において、第１及び第２無線Ｉ／Ｆ部１６，２３は、先に説明したように、Ｂｌｕｅｔｏｏｔｈ（登録商標）が好ましい。これは、赤外線による通信と比べて方向性がないので、テレビカメラから１００ｍ以内であれば、良好な通信ができ、方向を考慮して撮影する必要がなく、カメラマンの任意のベストポジションやベストアングルにも対応できる。
【００３２】
また、Ｂｌｕｅｔｏｏｔｈ（登録商標）は、規格品で通信器具が安価で供給できるため、テレビカメラや制御装置にＵＳＢコネクタを設けることにより、通信が可能な利点があるが、本実施例に限定することなく、Ｂｌｕｅｔｏｏｔｈ（登録商標）と同等であれば他の無線通信手段であっても実施可能である。
【００３３】
このように、本発明の実施例では種々の変形が可能であり、例えば、テレビカメラ用制御装置２０は、その表示部２１、操作部２２、及び無線Ｉ／Ｆ２３をパーソナル・コンピュータで構成することも可能である。
【産業上の利用可能性】
【００３４】
本発明の利用分野は、放送局でニュース取材を行うとき、撮像を行うテレビカメラを外部から無線で制御するときに好適である。
【符号の説明】
【００３５】
１０  テレビカメラ本体
１１  撮像部
１２  記録部
１３  カメラ表示部
１４  制御部
１５  操作パネル
１６  第１無線Ｉ／Ｆ部
１７  送受信端子
２０  テレビカメラ用制御装置
２１  表示部
２２  操作部（操作手段）
２３  第２無線Ｉ／Ｆ（無線送受信手段）
２４  送受信端子
３０  画面表示部（表示手段）
３１〜３５  表示・操作部
【図１】
2010278735.tif 000003
【図３】
2010278735.tif 000004
【図２】
2010278735.tif 000005